(57)【特許請求の範囲】
【請求項１】
自律神経指標値と脳機能の働きの程度との関係を表す脳機能情報を格納する記憶部と、
測定対象のユーザの自律神経指標値を取得する取得部と、
前記取得部で取得された前記ユーザの自律神経指標値と前記脳機能情報とを比較して、前記ユーザの脳機能の働きの程度を判定する判定部と、
前記判定部で判定された、前記ユーザの脳機能の働きの程度に関する情報を出力する出力部と、
を有し、
前記脳機能の働きの程度は、前記ユーザが所定の作業を行う際の理解力及び／又は記憶力の程度であり、
前記自律神経指標値は、前記ユーザが前記所定の作業を行っている間に測定された、交感神経の働きを示す指標であり、
前記判定部は、前記ユーザが前記所定の作業を行う際の前記所定の作業に関する理解力及び／又は記憶力の程度を判定し、
前記出力部は、前記ユーザが前記所定の作業を行う際の前記所定の作業に関する理解力及び／又は記憶力の程度に関する情報を出力する、
情報処理装置。
【請求項２】
自律神経指標値と脳機能の働きの程度との関係を表す脳機能情報を格納する記憶部と、
測定対象のユーザの自律神経指標値を取得する取得部と、
前記取得部で取得された前記ユーザの自律神経指標値と前記脳機能情報とを比較して、前記ユーザの脳機能の働きの程度を判定する判定部と、
前記判定部で判定された、前記ユーザの脳機能の働きの程度に関する情報を出力する出力部と、
を有し、
前記脳機能の働きの程度は、前記ユーザが所定の作業を行う際の注意力の程度であり、
前記自律神経指標値は、前記ユーザが前記所定の作業を行っている間に測定された、副交感神経の働きを示す指標又は交感神経の働きと副交感神経の働きのバランスを示す指標であり、
前記判定部は、前記ユーザが前記所定の作業を行う際の前記所定の作業に関する注意力の程度を判定し、
前記出力部は、前記ユーザが前記所定の作業を行う際の前記所定の作業に関する注意力の程度に関する情報を出力する、
情報処理装置。
【請求項３】
自律神経指標値と脳機能の働きの程度との関係を表す脳機能情報を格納する記憶部と、
測定対象のユーザの自律神経指標値を取得する取得部と、
前記取得部で取得された前記ユーザの自律神経指標値と前記脳機能情報とを比較して、前記ユーザの脳機能の働きの程度を判定する判定部と、
前記判定部で判定された、前記ユーザの脳機能の働きの程度に関する情報を出力する出力部と、
を有し、
前記脳機能情報は、自律神経指標値の偏差値と脳機能の働きの程度との関係が格納されており、
前記取得部は、前記ユーザの生体情報と前記ユーザの年齢とに基づいて算出された前記ユーザの自律神経指標値の偏差値を取得し、
前記判定部は、前記取得部で取得された前記ユーザの自律神経指標値の偏差値と、前記脳機能情報とを比較して、前記ユーザの脳機能の働きの程度を判定する、
情報処理装置。
【請求項４】
前記脳機能情報は、複数の被験者から得られた自律神経指標値と、前記複数の被験者から得られた脳機能の働きを測定するテストの結果と、を統計分析することで生成された情報である、
請求項１〜３のいずれか一項に記載の情報処理装置。
【請求項５】
前記脳機能情報は、自律神経指標値と脳機能の働きの程度との関係が年齢別に格納されており、
前記取得部は、前記ユーザの年齢を取得し、
前記判定部は、前記取得部で取得された前記ユーザの自律神経指標値と、前記ユーザの年齢と、前記脳機能情報とを比較して、前記ユーザの脳機能の働きの程度を判定する、
請求項１〜４のいずれか一項に記載の情報処理装置。
【請求項６】
情報処理装置が行う情報処理方法であって、
測定対象のユーザの自律神経指標値を取得するステップと、
前記取得するステップで取得された前記ユーザの自律神経指標値と、自律神経指標値と脳機能の働きの程度との関係を表す脳機能情報とを比較して、前記ユーザの脳機能の働きの程度を判定するステップと、
前記判定するステップで判定された、前記ユーザの脳機能の働きの程度に関する情報を出力するステップと、を含み、
前記脳機能の働きの程度は、前記ユーザが所定の作業を行う際の理解力及び／又は記憶力の程度であり、
前記自律神経指標値は、前記ユーザが前記所定の作業を行っている間に測定された、交感神経の働きを示す指標であり、
前記判定するステップは、前記ユーザが前記所定の作業を行う際の前記所定の作業に関する理解力及び／又は記憶力の程度を判定し、
前記出力するステップは、前記ユーザが前記所定の作業を行う際の前記所定の作業に関する理解力及び／又は記憶力の程度に関する情報を出力する、
情報処理方法。
【請求項７】
情報処理装置が行う情報処理方法であって、
測定対象のユーザの自律神経指標値を取得するステップと、
前記取得するステップで取得された前記ユーザの自律神経指標値と、自律神経指標値と脳機能の働きの程度との関係を表す脳機能情報とを比較して、前記ユーザの脳機能の働きの程度を判定するステップと、
前記判定するステップで判定された、前記ユーザの脳機能の働きの程度に関する情報を出力するステップと、を含み、
前記脳機能の働きの程度は、前記ユーザが所定の作業を行う際の注意力の程度であり、
前記自律神経指標値は、前記ユーザが前記所定の作業を行っている間に測定された、副交感神経の働きを示す指標又は交感神経の働きと副交感神経の働きのバランスを示す指標であり、
前記判定するステップは、前記ユーザが前記所定の作業を行う際の前記所定の作業に関する注意力の程度を判定し、
前記出力するステップは、前記ユーザが前記所定の作業を行う際の前記所定の作業に関する注意力の程度に関する情報を出力する、
情報処理方法。
【請求項８】
情報処理装置が行う情報処理方法であって、
測定対象のユーザの自律神経指標値を取得するステップと、
前記取得するステップで取得された前記ユーザの自律神経指標値と、自律神経指標値と脳機能の働きの程度との関係を表す脳機能情報とを比較して、前記ユーザの脳機能の働きの程度を判定するステップと、
前記判定するステップで判定された、前記ユーザの脳機能の働きの程度に関する情報を出力するステップと、を含み、
前記脳機能情報は、自律神経指標値の偏差値と脳機能の働きの程度との関係が格納されており、
前記取得するステップは、前記ユーザの生体情報と前記ユーザの年齢とに基づいて算出された前記ユーザの自律神経指標値の偏差値を取得し、
前記判定するステップは、前記取得するステップで取得された前記ユーザの自律神経指標値の偏差値と、前記脳機能情報とを比較して、前記ユーザの脳機能の働きの程度を判定する、
情報処理方法。
【請求項９】
コンピュータに、
測定対象のユーザの自律神経指標値を取得するステップと、
前記取得するステップで取得された前記ユーザの自律神経指標値と、自律神経指標値と脳機能の働きの程度との関係を表す脳機能情報とを比較して、前記ユーザの脳機能の働きの程度を判定するステップと、
前記判定するステップで判定された、前記ユーザの脳機能の働きの程度に関する情報を出力するステップと、
を実行させ、
前記脳機能の働きの程度は、前記ユーザが所定の作業を行う際の理解力及び／又は記憶力の程度であり、
前記自律神経指標値は、前記ユーザが前記所定の作業を行っている間に測定された、交感神経の働きを示す指標であり、
前記判定するステップは、前記ユーザが前記所定の作業を行う際の前記所定の作業に関する理解力及び／又は記憶力の程度を判定させ、
前記出力するステップは、前記ユーザが前記所定の作業を行う際の前記所定の作業に関する理解力及び／又は記憶力の程度に関する情報を出力させる、
プログラム。
【請求項１０】
コンピュータに、
測定対象のユーザの自律神経指標値を取得するステップと、
前記取得するステップで取得された前記ユーザの自律神経指標値と、自律神経指標値と脳機能の働きの程度との関係を表す脳機能情報とを比較して、前記ユーザの脳機能の働きの程度を判定するステップと、
前記判定するステップで判定された、前記ユーザの脳機能の働きの程度に関する情報を出力するステップと、
を実行させ、
前記脳機能の働きの程度は、前記ユーザが所定の作業を行う際の注意力の程度であり、
前記自律神経指標値は、前記ユーザが前記所定の作業を行っている間に測定された、副交感神経の働きを示す指標又は交感神経の働きと副交感神経の働きのバランスを示す指標であり、
前記判定するステップは、前記ユーザが前記所定の作業を行う際の前記所定の作業に関する注意力の程度を判定させ、
前記出力するステップは、前記ユーザが前記所定の作業を行う際の前記所定の作業に関する注意力の程度に関する情報を出力させる、
プログラム。
【請求項１１】
コンピュータに、
測定対象のユーザの自律神経指標値を取得するステップと、
前記取得するステップで取得された前記ユーザの自律神経指標値と、自律神経指標値と脳機能の働きの程度との関係を表す脳機能情報とを比較して、前記ユーザの脳機能の働きの程度を判定するステップと、
前記判定するステップで判定された、前記ユーザの脳機能の働きの程度に関する情報を出力するステップと、
を実行させ、
前記脳機能情報は、自律神経指標値の偏差値と脳機能の働きの程度との関係が格納されており、
前記取得するステップは、前記ユーザの生体情報と前記ユーザの年齢とに基づいて算出された前記ユーザの自律神経指標値の偏差値を取得させ、
前記判定するステップは、前記取得するステップで取得された前記ユーザの自律神経指標値の偏差値と、前記脳機能情報とを比較して、前記ユーザの脳機能の働きの程度を判定させる、
プログラム。
【発明の詳細な説明】
【技術分野】
【０００１】
本発明は、情報処理装置、情報処理方法及びプログラムに関する。
【背景技術】
【０００２】
自律神経には、主に起きているとき及び緊張しているときに働く交感神経と、主に寝ているとき及びリラックスしているときに働く副交感神経とがあり、両者がバランスを取りながら機能し、生理的機能を調節していることが知られている。特許文献１には、自律神経の働きを用いてユーザの疲労を測定する技術が開示されている。
【先行技術文献】
【特許文献】
【０００３】
【特許文献１】特開２０１０−２０１１１３号公報
【発明の概要】
【発明が解決しようとする課題】
【０００４】
このように、自律神経機能を解析することで、ユーザの疲労を測定することが可能であるが、もし、自律神経機能を解析することで疲労以外の状態についても測定することができれば、ユーザは、自身の状態をより客観的に把握することが可能になると考えられる。
【０００５】
そこで、本発明は、自律神経指標に基づいてユーザの脳機能の状態を評価することが可能な技術を提供することを目的とする。
【課題を解決するための手段】
【０００６】
本発明の一態様に係る情報処理装置は、自律神経指標値と脳機能の働きの程度との関係を表す脳機能情報を格納する記憶部と、測定対象のユーザの自律神経指標値を取得する取得部と、取得部で取得されたユーザの自律神経指標値と脳機能情報とを比較して、ユーザの脳機能の働きの程度を判定する判定部と、判定部で判定された、ユーザの脳機能の働きの程度に関する情報を出力する出力部と、を有する。
【発明の効果】
【０００７】
本発明によれば、自律神経指標に基づいてユーザの脳機能の状態を評価することが可能な技術を提供することができる。
【図面の簡単な説明】
【０００８】
【図１】本実施形態に係る情報処理システムの構成例を示す図である。
【図２】生体情報取得装置の一例を示す図である。
【図３】評価装置が行う処理手順の一例を示すフローチャートである。
【図４】かな拾い試験で出される問題の一例を示す図である。
【図５】内容理解度を調べる試験の一例を示す図である。
【図６】実験結果を説明するための図である。
【図７】実験結果を説明するための図である。
【図８】実験結果を説明するための図である。
【図９】実験結果を説明するための図である。
【図１０】実験結果を説明するための図である。
【図１１】実験結果を説明するための図である。
【発明を実施するための形態】
【０００９】
添付図面を参照して、本発明の実施形態について説明する。なお、各図において、同一の符号を付したものは、同一又は同様の構成を有する。
【００１０】
＜システム構成＞
図１は、本実施形態に係る情報処理システム１００の構成例を示す図である。本実施形態に係る情報処理システム１００は、入力装置１１０と、生体情報取得装置１２０と、判定装置１３０と、出力装置１４０とを有する。
【００１１】
入力装置１１０は、ユーザに関するデータを入力するための装置であり、例えば、キーボードやタッチパネル上の入力インタフェースなどにより構成される。ユーザは、入力装置１１０を用いて、年齢、氏名、住所及び性別などを入力することができる。
【００１２】
生体情報取得装置１２０は、ユーザの生体情報データを収集するための装置である。ここでユーザの生体情報データとは、好適には、心拍データまたは脈拍データもしくは加速度脈波データを意味する。なお、入力装置１１０と生体情報取得装置１２０は一体であってもよい。すなわち、生体情報取得装置１２０は、入力装置１１０としての機能を有していてもよい。
【００１３】
図２は、生体情報取得装置１２０の一例を示す図である。生体情報取得装置１２０は、図２に示すように、超軽量ワイヤレス生体センサーであってもよい。より具体的には、測定対象のユーザの身体に取り付ける電極とワイヤレス送信機とを備えており、測定されたユーザの生体情報を、ワイヤレス送信機を通じて判定装置１３０に送信する装置であってもよい。その他、市販の心電計や脈拍計を生体情報取得装置１２０として利用してもよい。図１に戻り説明を続ける。
【００１４】
判定装置１３０は、生体情報取得装置１２０で収集されたユーザの生体情報データから得られる、ユーザの自律神経の働きを示す自律神経指標値に基づいて、ユーザの脳機能の働きを判定するための装置である。判定装置１３０は、ユーザが操作する端末であり、スマートフォン、タブレット端末、携帯電話機、パーソナルコンピュータ（ＰＣ）、ノートＰＣ、携帯情報端末（ＰＤＡ）、家庭用ゲーム機器、ユーザの脳機能の働きを判定するための専用の装置など、通信機能を備えた端末であればあらゆる情報処理装置を用いることができる。また、判定装置１３０は、１又は複数の物理的なサーバ等から構成される情報処理装置であって、ハイパーバイザー（hypervisor）上で動作する仮想的なサーバを用いて構成される情報処理装置であってもよいし、クラウドサーバを用いて構成される情報処理装置であってもよい。
【００１５】
判定装置１３０は、自律神経指標値と脳機能の働きの程度（脳機能の働きの度合いと称してもよい）との関係を表す脳機能情報を保持しており、ユーザの自律神経指標値と脳機能情報とを比較することで、ユーザの脳機能の働きの程度を判定する。ユーザの脳機能の働きの程度とは、例えば、ユーザの理解力が落ちているか又は高い状態であるか、記憶力が落ちているか又は良好であるか、及び／又は、注意力が落ちているか又は良好であるか等を含む。
【００１６】
出力装置１４０は、判定装置１３０によって判定されたユーザの脳機能の働きの程度に関する判定結果を出力するための装置である。出力される情報としては、判定結果の詳細をレポート形式で出力してもよいし、判定結果に加えて（又は代えて）、ユーザの自律神経指標値とユーザの脳機能の働きの程度に関する情報とを出力してもよい。出力装置１４０は、判定装置１３０に内蔵又は接続されたディスプレイなどの表示装置であってもよいし、判定装置１３０に接続されたプリンタなどの印刷出力装置であってもよい。
【００１７】
＜機能ブロック構成＞
図１に示すように、判定装置１３０は、算出部１１と、取得部１２と、判定部１３と、出力部１４と、記憶部２１とを含む。記憶部２１は、判定装置１３０が備える記憶装置２０を用いて実現することができる。また、算出部１１と、取得部１２と、判定部１３と、出力部１４とは、判定装置１３０のプロセッサ１０が、記憶装置２０に記憶されたプログラムを実行することにより実現することができる。また、当該プログラムは、記憶媒体に格納することができる。当該プログラムを格納した記憶媒体は、コンピュータ読み取り可能な非一時的な記憶媒体（Non-transitory computer readable medium）であってもよい。非一時的な記憶媒体は特に限定されないが、例えば、ＵＳＢメモリ又はＣＤ−ＲＯＭ等の記憶媒体であってもよい。
【００１８】
記憶部２１は、自律神経指標値と脳機能の働き（例えば、理解力、記憶力、注意力など）の程度との関係を表す脳機能情報を格納する。脳機能情報は、複数の被験者から得られた自律神経指標値と、当該複数の被験者から得られた脳機能の働きを測定するテストの結果と、を統計分析することで生成された情報である。より詳細には、脳機能情報は、多数の被験者から得られた、被験者の脳機能の働きを測定するテストの結果と、当該テスト前後及び当該テスト中に測定された被験者の自律神経指標値と、を統計分析することで生成された、自律神経指標値と脳機能の働きの程度を示す指標値との相関関係を示す情報である。
【００１９】
脳機能情報には、例えば、自律神経指標値がＡ未満であったらユーザの脳機能の働きの程度を示す指標値は“働きが落ちている”ことを示す指標値であり、自律神経指標値がＡ以上であったら、ユーザの脳機能の働きの程度を示す指標値は“働きが良好である”こ示す指標値であるといった情報が格納されていてもよい。自律神経指標値の段階及び脳機能の働きの程度を示す指標値の段階は、それぞれ何段階であってもよい。
【００２０】
算出部１１は、生体情報取得装置１２０から取得したユーザの生体情報から、ユーザの自律神経指標値を算出する機能を有する。例えば、算出部１１は、ユーザの生体情報データを周波数解析して、周波数領域の低周波数成分からＬＦ値を算出し、高周波数成分からＨＦ値を算出する。ＬＦ値は交感神経の働きを示す指標であり、ＨＦ値は副交感神経の働きを示す指標であるとされている。
【００２１】
生体情報データは、生体情報取得装置１２０から判定装置１３０に随時入力されるものであってもよいし、生体情報取得装置１２０にて一定期間の生体情報データを取得した後に、まとめて判定装置１３０に入力されるものであってもよい。
【００２２】
生体情報データからＬＦ値やＨＦ値を得るために周波数解析が行われるが、周波数解析（時間周波数解析）の手法は公知の解析手法を利用可能であり、例えば、最大エントロピー法（ＭＥＭ法）、高速フーリエ変換法（ＦＦＴ法）、ウェーブレット法等が挙げられる。これらの中でも、最大エントロピー法を用いるのが好ましい。最大エントロピー法によれば、時間分解能の高い解析を行うことができる。用いられる生体情報データは、心拍（心電図）のＲ−Ｒ間隔（心拍のパターン）や、加速度脈波のａ−ａ間隔である。例えば、心拍（心電図）のＲ−Ｒ間隔を最大エントロピー法（ＭＥＭ）を用いて周波数領域の低周波数成分（ＬＦ：０．０４−０．１５Ｈｚ）と高周波数成分（ＨＦ：０．１５−０．４０Ｈｚ）に分離し、低周波数成分及び高周波数成分のパワーの総和をそれぞれＬＦ値及びＨＦ値として算出する。
【００２３】
具体的には、ＬＦ値とＨＦ値は、例えば、以下の式により算出することができる。
【数１】
0006670413.tif 000002
【数２】
0006670413.tif 000003
【数３】
0006670413.tif 000004
ここで、ＬＦ（ｔ）はＬＦ値、ＨＦ（ｔ）はＨＦ値、Ｐ（ｆ）はパワースペクトル関数、Ｃ（ｔ）は心拍（心電図）のＲ−Ｒ間隔の自己相関関数、ｔは時間、ｆは周波数を示す。数３に示すとおり、数式上Ｐ（ｆ）は全時間領域で積分するものとしているが、実際は、観測領域で積分すれば足りる。
【００２４】
ＬＦ値やＨＦ値の上限及び下限とした周波数は欧州心電図学会で定義されているなど一般に広く使われている数値であるが、ＬＦ値及びＨＦ値を分離するための周波数帯はこれに限定されるものではなく、他の周波数帯によってＬＦ値とＨＦ値を定義付けてもよい。また、測定誤差等が許容されることは言うまでもない。なお、市販の自律神経測定器を、生体情報取得装置１２０として利用してもよい。
【００２５】
また、算出部１１は、ユーザのＬＦ値及びＨＦ値から、ユーザの自律神経のバランスを示す「ＬＦ／ＨＦ値」を算出する機能を有する。「ＬＦ／ＨＦ値」とは、交感神経と副交感神経のバランスを表す指標であり、ＬＦ値をＨＦ値で除算することで求められる。例えばＬＦ／ＨＦ値が５．０を超えると、交感神経と副交感神経のバランスが大きく崩れていることを意味する。
【００２６】
また、算出部１１は、ユーザの心拍数とＬＦ値とＨＦ値とを用いて、自律神経活動の活動量である「自律神経活動量」を算出する機能を有する。「自律神経活動量」は、ｃｃｖＴＰと呼ばれる、自律神経機能の働きを示す指標を用いて数値で表現される。ｃｃｖＴＰは、ＴＰ（トータルパワー）と呼ばれる、ＬＦ値とＨＦ値の総和（以下、「ＬＦ＋ＨＦ値」と記載する。）を、ＬＦ値及びＨＦ値の測定に用いた時間中の心拍数（より具体的にはＲ−Ｒ間隔の平均）で補正することで算出される値である。ｃｃｖＴＰは、ＣＶＲＲとも呼ばれる。具体的には、ｃｃｖＴＰは、以下の式により算出することができる。
【数４】
0006670413.tif 000005
ここで、ＲＲは、被験者における心拍のＲ−Ｒ間隔（秒）を示す。なお、Ｒ−Ｒ間隔（秒）＝６０÷心拍数（回／分）である。
【００２７】
心拍数が高い場合はＴＰが高い値となることが実験により知られていることから、心拍数の高さに応じて補正されたｃｃｖＴＰを用いることで、被験者の心拍数の高低にかかわらず、自律神経活動量を適切に表現することができる。なお、「ＬＦ＋ＨＦ値」は、年齢とともに数値が減少することが本発明者らによって明らかにされており、ｃｃｖＴＰについても同様である。
【００２８】
以上説明した、ＬＦ値、ＨＦ値、ｃｃｖＴＰ（ＣＶＲＲ）、ＬＦ＋ＨＦ及びＬＦ／ＨＦと、これらの値を対数化した、ＬｏｇＬＦ、ＬｏｇＨＦ、ＬｏｇｃｃｖＴＰ（ＬｏｇＣＶＲＲ）、Ｌｏｇ（ＬＦ＋ＨＦ）及びＬｏｇ（ＬＦ／ＨＦ）は、本実施形態における自律神経指標値に含まれていてもよい。
【００２９】
なお、本実施形態は、算出部１１が実現する機能を、生体情報取得装置１２０が行う構成とし、判定装置１３０には算出部１１を備えない構成としてもよい。
【００３０】
取得部１２は、算出部１１で算出された、測定対象のユーザの自律神経指標値を取得する機能を有する。なお、取得部１２は、生体情報取得装置１２０から測定対象のユーザの生体情報を取得して算出部１１に渡す機能を有していてもよい。また、取得部１２は、入力画面又は生体情報取得装置１２０を介して、ユーザの年齢を取得するようにしてもよい。
【００３１】
また、取得部１２は、ユーザの生体情報とユーザの年齢とに基づいて算出された、ユーザの自律神経指標値の偏差値を取得するようにしてもよい。自律神経指標値の偏差値については後述する。
【００３２】
判定部１３は、ユーザの自律神経指標値と記憶部２１に格納される脳機能情報とを比較して、ユーザの脳機能の働きの程度を判定する機能を有する。脳機能情報には、自律神経指標値の範囲と、脳機能の働きの程度に関する情報とが対応づけられており、判定部１３は、ユーザの自律神経指標値に対応する脳機能の働きの程度に関する情報を脳機能情報から検索することで、ユーザの脳機能の働きの程度を判定する。
【００３３】
また、脳機能情報には、自律神経指標値の範囲と脳機能の働きの程度に関する情報との関係が年齢別に格納されていてもよい。この場合、判定部１３は、取得部１２で取得されたユーザの自律神経指標値と、ユーザの年齢と、脳機能情報とを比較して、ユーザの脳機能の働きの程度を判定するようにしてもよい。自律神経活動はユーザが年を重ねるごとに衰えていくことから、仮に同一の自律神経状態であったとしても、自律神経指標値はユーザの年齢に応じて変化する。しかしながら、自律神経指標値と脳機能の働きの程度との関係が年齢別に格納された脳機能情報とユーザの自律神経指標値とを比較することで、より正確にユーザの脳機能の働きの程度を判定することが可能になる。
【００３４】
また、脳機能情報には、自律神経指標値の偏差値の範囲と脳機能の働きの程度との関係が格納されていてもよい。この場合、判定部１３は、取得部１２で取得されたユーザの自律神経指標値の偏差値と、脳機能情報とを比較して、ユーザの脳機能の働きの程度を判定するようにしてもよい。前述の通り、自律神経指標値はユーザの年齢に応じて変化するが、自律神経指標値を偏差値で表現するようにすれば、ユーザの年齢に関わらず同一基準で自律神経の働きを評価することができる。従って、自律神経指標値の偏差値と脳機能の働きの程度との関係が格納された脳機能情報とユーザの自律神経指標値の偏差値とを比較することで、より正確にユーザの脳機能の働きの程度を判定することが可能になる。
【００３５】
なお、自律神経指標値の偏差値は、次に示す方法で算出することができる。まず、年齢の異なる多数の被験者の自律神経指標値から、被験者の年齢ごとの自律神経指標値の平均値と、被験者の年齢ごとの自律神経指標値の標準偏差（σ）を算出し、これらをデータベース化した自律神経指標値分布データを作成する。続いて、偏差値を求めたい被験者の自律神経指標値と、自律神経指標値分布データから、被験者の年齢に対応する自律神経指標値の平均値と標準偏差（σ）を取得する。続いて、「自律神経指標値の偏差値＝１０×（被験者の自律神経指標値−被験者の年齢に対応する自律神経指標値の平均値）÷被験者の年齢に対応する自律神経指標値の標準偏差（σ）＋５０」の式を用いて、被験者の自律神経指標値の偏差値を算出する。
【００３６】
出力部１４は、判定部１３で判定された、ユーザの脳機能の働きの程度に関する情報を出力装置１４０に出力する機能を有する。
【００３７】
＜処理手順＞
図３は、判定装置１３０が行う処理手順の一例を示すフローチャートである。まず、取得部１２は、算出部１１で算出された、測定対象のユーザの自律神経指標値を取得する（Ｓ１１）。もし自律神経指標値が自律神経指標値の偏差値以外である場合、取得部１２は、入力装置１１０に入力されたユーザの年齢を取得する。取得部１２が取得するユーザの自律神経指標値は、ユーザが所定の作業をこれから行う場合、当該所定の作業を行う前に測定された自律神経指標値であってもよい。
【００３８】
所定の作業とは、どのような作業であってもよいが、例えば、学習、講義の受講、デスクワーク、会議、運転など、理解力、記憶力又は注意力を必要とするような作業を含む。また、取得部１２が取得するユーザの自律神経指標値は、ユーザが所定の作業を既に開始している場合、ユーザが所定の作業を行っている間に測定される自律神経指標値であってもよい。
【００３９】
続いて、判定部１３は、ユーザの自律神経指標値の値とユーザの年齢とに対応づけられている脳機能の働きの程度に関する情報を、脳機能情報から検索して取得することで、ユーザの脳機能の働きを判定する。判定部１３が測定するユーザの脳機能の働きの程度は、脳機能が停滞しているか又は脳機能が活発であるのかの２段階で表現されていてもよいし、更に複数の段階で表現されてもよい。
【００４０】
続いて、出力部１４は、判定結果を出力装置２４に出力する（Ｓ１３）。ここで、出力部１４は、脳機能の働きの程度に関する情報をそのまま出力するようにしてもよいし、脳機能の働きの程度に関する情報に対応するメッセージを出力するようにしてもよい。例えば、出力部１４は、脳機能の働きの程度に関する情報に応じて、「脳の働きが活発なようです。仕事をするなら今です」といったメッセージや、「注意力が低下している可能性がありますので油断しないようにしましょう」といったメッセージを出力することが考えられる。
【００４１】
＜実験内容＞
次に、同年齢の１１人の被験者を対象に、図２に示す生体情報取得装置１２０を取り付けた状態でかな拾い試験（テスト）を受けてもらうことで、試験実施前後における自律神経指標値を取得し、かな拾い試験の成績と自律神経指標値とを比較する実験を行った。
【００４２】
被験者からの自律神経指標値の取得は、Ａ：閉眼安静時（試験前）、Ｂ：開眼安静時（試験前）、Ｃ：かな拾い試験の実施時、Ｄ：内容確認試験の実施時、Ｅ：開眼安静時（試験終了後）のタイミングで行った。また、Ａ〜Ｅは、それぞれ３分間ずつ測定を行った。
【００４３】
より詳細には、被験者の心拍数や自律神経の数値がある程度安定し、正常にパソコン上にデータが表示されるまで待機させた後、目を閉じて椅子に深く腰かけた状態で３分間生体情報を取得することで、閉眼安静時の自律神経指標値を取得した。次に、被験者が姿勢を変えずに目を開いた状態で３分間生体情報を取得することで、開眼安静時の自律神経機能を取得した。次に、かな拾い試験を開始し、試験中（３分間）の生体情報を取得することで、かな拾い試験時の自律神経指標値を取得した。続いて、かな拾い試験で出された文章の内容理解度を調べる試験を開始し、試験中（３分間）の間、被験者の生体情報を取得した。当該試験終了後、姿勢を変えずに目を開いた状態で３分間生体情報を取得することで、開眼安静時の自律神経指標値を取得した。
【００４４】
かな拾い試験とは、４００字程度のひらがなで書かれている簡単な文章の中から、「あ」行の文字（大小どちらも）を見つけ出し、それに時間内（３分間）でできるだけ丸印で囲んでいくという試験である。かな拾い試験で高得点をとるためには注意力を要することから、かな拾い試験で高得点を取ることができるということは、注意力が高い状態にあると言うことができる。
【００４５】
また、内容理解度を調べる試験とは、かな拾い試験で出題された文章の内容に関する質問を、時間内（３分間）で回答する試験（１０点満点）である。内容理解度を調べる試験で高得点をとるためには、かな拾い試験に出題された文章を覚える記憶力や文章に記載された内容を理解する理解力を要することから、内容理解度を調べる試験で高得点を取ることができるということは、記憶力及び／又は理解力が高い状態にあると言うことができる。
【００４６】
図４に、かな拾い試験で出される問題の一例を示す。また、図５に、内容理解度を調べる試験の一例を示す。
【００４７】
＜実験結果＞
実験により得られた、かな拾い試験の得点又は内容理解度の得点と自律神経指標値との相関関係の有無を図６〜図１１に示す。図６〜図１１において、上段の数値は相関係数（ｒ値）を示しており、下段の数値は有意確率（ｐ値）を示している。「ｒ値＜−０．２又は０．２＜ｒ値」かつ「ｐ値＜０．０５」である場合、“かな拾い試験の得点又は内容理解度の得点”と、“自律神経指標値”と間に相関関係があるとみなすことができる。一方、「ｒ値＜−０．２又は０．２＜ｒ値」又は「０．０５＜ｐ値」である場合、“かな拾い試験の得点又は内容理解度の得点”と、“自律神経指標値”と間に相関関係は無いとみなすことができる。図６〜図１１において、相関関係があるとみなすことができる組み合わせについては、ｒ値及びｐ値を点線枠で囲むようにした。
【００４８】
図６は、ＬｏｇＬＦとかな拾い試験の得点との相関関係、及び、ＬｏｇＬＦと内容確認試験の得点との相関関係を示している。図６に示す実験結果によれば、かな拾い試験の得点が高いほど、開眼安静時（試験前）のＬｏｇＬＦの値が高いという正の相関関係があることが分かる。また、かな拾い試験の得点が高いほど、内容確認試験の実施時のＬｏｇＬＦの値が高いという正の相関関係があることが分かる。また、かな拾い試験の得点が高いほど、開眼安静時（試験終了後）ＬｏｇＬＦの値が高いという正の相関関係があることが分かる。
【００４９】
一方、かな拾い試験の得点と閉眼安静時（試験前）のＬｏｇＬＦの値との間、及びかな拾い試験の得点とかな拾い試験の実施時のＬｏｇＬＦの値との間には、相関関係はみられなかった。
【００５０】
また、図６によれば、内容確認試験の得点が高いほど、閉眼安静時（試験前）のＬｏｇＬＦの値が高いという正の相関関係があることが分かる。また、内容確認試験の得点が高いほど、開眼安静時（試験前）のＬｏｇＬＦの値が高いという正の相関関係があることが分かる。また、内容確認試験の得点が高いほど、かな拾い試験の実施時のＬｏｇＬＦの値が高いという正の相関関係があることが分かる。また、内容確認試験の得点が高いほど、内容確認試験実施時のＬｏｇＬＦの値が高いという正の相関関係があることが分かる。また、内容確認試験の得点が高いほど、開眼安静時（試験終了後）ＬｏｇＬＦの値が高いという正の相関関係があることが分かる。
【００５１】
図７は、ＬｏｇＨＦとかな拾い試験の得点との相関関係、及び、ＬｏｇＬＦと内容確認試験の得点との相関関係を示している。図７に示す実験結果によれば、かな拾い試験の得点が高いほど、かな拾い試験の実施時のＬｏｇＨＦの値が低いという負の相関関係があることが分かる。一方、かな拾い試験の得点とその他のＬｏｇＨＦの値との間には、相関関係はみられなかった。また、内容確認試験の得点と、ＬｏｇＨＦとの間には相関がみられなかった。
【００５２】
図８は、ＬｏｇＣＣＶＲとかな拾い試験の得点との相関関係、及び、ＬｏｇＣＣＶＲと内容確認試験の得点との相関関係を示している。図８に示す実験結果によれば、内容確認試験の得点が高いほど、かな拾い試験の実施時のＬｏｇＣＣＶＲの値が低いという負の相関関係があることが分かる。一方、かな拾い試験の得点とＬｏｇＣＣＶＲの値との間には、相関関係はみられなかった。また、内容確認試験の得点と、かな拾い試験の実施時以外のＬｏｇＣＣＶＲとの間には相関がみられなかった。
【００５３】
図９は、Ｌｏｇ（ＬＦ／ＨＦ）とかな拾い試験の得点との相関関係、及び、Ｌｏｇ（ＬＦ／ＨＦ）と内容確認試験の得点との相関関係を示している。図９に示す実験結果によれば、かな拾い試験の得点が高いほど、かな拾い試験の実施時のＬｏｇ（ＬＦ／ＨＦ）の値が高いという正の相関関係があることが分かる。一方、かな拾い試験の得点とその他のＬｏｇ（ＬＦ／ＨＦ）の値との間には、相関関係はみられなかった。また、内容確認試験の得点と、Ｌｏｇ（ＬＦ／ＨＦ）との間には相関がみられなかった。
【００５４】
図１０及び図１１は、かな拾い試験実施前及び実施中における自律神経指標値の変化と、かな拾い試験の得点又は内容確認試験の得点との間の相関関係の有無を示す図である。
【００５５】
図１０におけるＬＦ値の変化は、かな拾い試験の実施時のＬＦ値から閉眼安静時（試験前）のＬＦ値を減算することで得られる変化量（ΔＬＦ）である。図１０によれば、かな拾い試験実施前及び実施中におけるＬＦ値の変化と、内容確認試験の得点との間には、正の相関関係があることが分かる。
【００５６】
図１１におけるＨＦ値の変化は、かな拾い試験の実施時のＨＦ値から閉眼安静時（試験前）のＨＦ値を減算することで得られる変化量（ΔＨＦ）である。図１１によれば、かな拾い試験実施前及び実施中におけるＨＦ値の変化と、内容確認試験の得点との間には、負の相関関係があることが分かる。
【００５７】
＜実験結果のまとめ＞
（注意力について）
以上説明した実験結果によれば、かな拾い試験の得点と相関関係が高い自律神経指標値は、開眼安静時（試験前）のＬｏｇＬＦ、内容確認試験の実施時のＬｏｇＬＦ、開眼安静時（試験終了後）ＬｏｇＬＦ、かな拾い試験の実施時のＬｏｇＨＦ、かな拾い試験の実施時のＬｏｇ（ＬＦ／ＨＦ）、かな拾い試験の実施時のＨＦ値から閉眼安静時（試験前）のＨＦ値を減算することで得られる変化量（ΔＨＦ）であった。また、前述した通り、かな拾い試験の得点が高いということは、注意力が高い状態にあると言うことができる。
【００５８】
この実験結果を用いることで、判定部１３は、脳機能の働きの程度として所定の作業を行う際の注意力の程度を判定する場合、ユーザが所定の作業を行う前（開眼安静時に相当）に測定された交感神経の働きを示す指標（ＬＦ又はＬｏｇＬＦ）に基づいて、ユーザが所定の作業を行う際の所定の作業に関する注意力の程度を判定することができる。例えば、判定部１３は、交感神経の働きを示す指標の値が所定の閾値未満である場合には、注意力が落ちていると判定し、所定の閾値以上である場合には、注意力が高い状態にあると判定するようにしてもよい。また出力部１４は、ユーザが所定の作業を行う際の所定の作業に関する注意力の程度に関する情報を出力することができる。
【００５９】
また、判定部１３は、脳機能の働きの程度として所定の作業を行う際の注意力の程度を判定する場合、ユーザが所定の作業を行っている間（かな拾い試験の実施時に相当）に測定された、副交感神経の働きを示す指標（ＨＦ又はＬｏｇＨＦ）又は交感神経の働きと副交感神経の働きのバランスを示す指標（ＬＦ／ＨＦ又はＬｏｇＬＦ／ＨＦ）に基づいて、ユーザが所定の作業を行う際の所定の作業に関する注意力の程度を判定することができる。例えば判定部１３は、副交感神経の働きを示す指標の値又は交感神経の働きと副交感神経の働きのバランスを示す指標が所定の閾値未満である場合には、注意力が落ちていると判定し、所定の閾値以上である場合には、注意力が高い状態にあると判定するようにしてもよい。
【００６０】
また、判定部１３は、脳機能の働きの程度として所定の作業を行う際の注意力の程度を判定する場合、ユーザが所定の作業を行っている間（かな拾い試験の実施時に相当）に測定された副交感神経の働きを示す指標と、ユーザが所定の作業を行う前（開眼安静時に相当）に測定された副交感神経の働きを示す指標との変化量（ΔＨＦ又はΔＬｏｇＨＦ）に基づいて、ユーザが所定の作業を行う際の所定の作業に関する注意力の程度を判定することができる。例えば、判定部１３は、当該変化量が所定の閾値未満である場合には、注意力が落ちていると判定し、所定の閾値以上である場合には、注意力が高い状態にあると判定するようにしてもよい。
【００６１】
（理解力及び／又は記憶力について）
以上説明した実験結果によれば、内容確認試験の得点と相関関係が高い自律神経指標値は、閉眼安静時（試験前）のＬｏｇＬＦ、開眼安静時（試験前）のＬｏｇＬＦ、かな拾い試験の実施時のＬｏｇＬＦ、内容確認試験の実施時のＬｏｇＬＦ、開眼安静時（試験終了後）ＬｏｇＬＦ、かな拾い試験の実施時のＬｏｇＣＶＲＲ、かな拾い試験の実施時のＬＦ値から閉眼安静時（試験前）のＬＦ値を減算することで得られる変化量（ΔＬＦ）であった。また、前述した通り、内容理解度を調べる試験で高得点を取ることができるということは、記憶力及び／又は理解力が高い状態にあると言うことができる。
【００６２】
この実験結果を用いることで、判定部１３は、脳機能の働きの程度として所定の作業を行う際の理解力及び／又は記憶力の程度を判定する場合、ユーザが所定の作業を行う前（閉眼安静時又は開眼安静時に相当）又は所定の作業を行っている間（かな拾い試験の実施時又は内容確認試験の実施時に相当）に測定された交感神経の働きを示す指標（ＬＦ又はＬｏｇＬＦ）に基づいて、ユーザが所定の作業を行う際の所定の作業に関する理解力及び／又は記憶力の程度を判定することができる。また出力部１４は、ユーザが所定の作業を行う際の所定の作業に関する理解力及び／又は記憶力の程度に関する情報を出力することができる。例えば、判定部１３は、交感神経の働きを示す指標の値が所定の閾値未満である場合には、理解力及び／又は記憶力が落ちていると判定し、所定の閾値以上である場合には、理解力及び／又は記憶力が高い状態にあると判定するようにしてもよい。
【００６３】
また、判定部１３は、脳機能の働きの程度として所定の作業を行う際の理解力及び／又は記憶力の程度を判定する場合、ユーザが所定の作業を行っている間（かな拾い試験の実施時に相当）に測定された自律神経活動量を示す指標（ＣＶＲＲ又はＬｏｇＣＶＲＲ）に基づいて、ユーザが所定の作業を行う際の所定の作業に関する理解力及び／又は記憶力の程度を判定することができる。例えば、判定部１３は、自律神経活動量の値が所定の閾値未満である場合には、理解力及び／又は記憶力が落ちていると判定し、所定の閾値以上である場合には、理解力及び／又は記憶力が高い状態にあると判定するようにしてもよい。
【００６４】
また、判定部１３は、脳機能の働きの程度として所定の作業を行う際の理解力及び／又は記憶力の程度を判定する場合、ユーザが所定の作業を行っている間（かな拾い試験の実施時に相当）に測定された交感神経の働きを示す指標と、ユーザが所定の作業を行う前（閉眼安静時に相当）に測定された副交感神経の働きを示す指標との変化量（ΔＬＦ又はΔＬｏｇＬＦ）に基づいて、ユーザが所定の作業を行う際の所定の作業に関する理解力及び／又は記憶力の程度を判定することができる。例えば、判定部１３は、当該変化量が所定の閾値未満である場合には、理解力及び／又は記憶力が落ちていると判定し、所定の閾値以上である場合には、理解力及び／又は記憶力が高い状態にあると判定するようにしてもよい。
【００６５】
＜変形例＞
生体情報取得装置１２０には、ユーザの生体情報を取得できるものであれば、図２に示す超軽量ワイヤレス生体センサーに限定されない。例えば、ユーザを正面方向から撮影した映像を分析し、顔の表面の色の微細な変化を捉えることで、ユーザの脈拍データを取得することが可能な生体情報取得装置１２０であってもよい。又は、ユーザの首に取り付けられたセンサを用いて、ユーザの脈拍データを取得することが可能な生体情報取得装置１２０であってもよい。前者の生体情報取得装置１２０に本実施形態で説明した技術を適用することで、例えば、ノートパソコン、スマートフォン又はタブレット端末が備える前面カメラを用いて、ノートパソコン、スマートフォン又はタブレット端末を用いて所定の作業を行うユーザの映像を撮影することで、当該ユーザが所定の作業を行う際の理解力、記憶力及び／又は注意力を評価することも可能になる。
【００６６】
＜まとめ＞
以上説明した実施形態によれば、ユーザの自律神経機能に関する指標を用いてユーザの脳機能の状態を評価することが可能になる。また、ユーザの身体から測定した生体情報を用いてユーザの脳機能の状態を判定することから、ユーザの主観に影響されず、より客観的な判定を行うことが可能になる。
【００６７】
以上説明した実施形態は、本発明の理解を容易にするためのものであり、本発明を限定して解釈するためのものではない。実施形態で説明したフローチャート、シーケンス、実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００６８】
１０…プロセッサ、１１…算出部、１２…取得部、１３…判定部、１４…出力部、２０…記憶装置、２１…記憶部、２４…出力装置、１００…情報処理システム、１１０…入力装置、１２０…生体情報取得装置、１３０…判定装置、１４０…出力装置
【要約】
【課題】自律神経指標に基づいてユーザの脳機能の状態を評価することが可能な技術を提供すること。
【解決手段】自律神経指標値と脳機能の働きの程度との関係を表す脳機能情報を格納する記憶部と、測定対象のユーザの自律神経指標値を取得する取得部と、取得部で取得されたユーザの自律神経指標値と脳機能情報とを比較して、ユーザの脳機能の働きの程度を判定する判定部と、判定部で判定された、ユーザの脳機能の働きの程度に関する情報を出力する出力部と、を有する情報処理装置を提供する。
【選択図】図３【図１】
0006670413.tif 000006
【図２】
0006670413.tif 000007
【図３】
0006670413.tif 000008
【図４】
0006670413.tif 000009
【図５】
0006670413.tif 000010
【図６】
0006670413.tif 000011
【図７】
0006670413.tif 000012
【図８】
0006670413.tif 000013
【図９】
0006670413.tif 000014
【図１０】
0006670413.tif 000015
【図１１】
0006670413.tif 000016